【手続補正書】
【提出日】平成18年6月15日(2006.6.15)
【手続補正１】
【補正対象書類名】特許請求の範囲
【補正対象項目名】全文
【補正方法】変更
【補正の内容】
【特許請求の範囲】
【請求項１】
外部からの信号に応じて画像信号、第１及び第２タイミング信号、クロック発生制御信
号を出力するタイミング制御部と、
前記クロック発生制御信号に応答して反転された位相を有する第１及び第２クロックを
発生し、前記第１及び第２クロックを制御して第１区間の間のゲート駆動信号の電圧レベ
ルを決定し、第２区間の間前記第１及び第２クロックが充電または放電するように制御す
るクロック発生部と、
前記第１タイミング信号、前記第１及び第２クロックに応答して順次に前記ゲート駆動
信号を出力するゲート駆動部と、
前記第２タイミング信号に応答して前記画像信号を出力するデータ駆動部と、
前記画像信号の提供を受ける複数のデータラインと、前記ゲート駆動信号の提供を受け
る複数のゲートラインと、前記データラインとゲートラインに連結され前記ゲート駆動信
号に応答して前記画像信号を出力するスイッチング素子とを有する液晶パネルと、
を含むことを特徴とする液晶表示装置。
【請求項２】
前記第１クロックは前記第１区間で第１電圧を保持し、前記第２区間で第１極性を有し
、
前記第２クロックは前記第１区間で前記第１電圧と位相の反転された第２電圧を保持し
、前記第２区間で前記第１極性と位相の反転された第２極性を有し、第１クロック及び第
２クロックは、傾きを有することを特徴とする請求項１記載の液晶表示装置。
【請求項３】
次のステージのゲート駆動信号が一定電圧以上になるとき、現在ステージのゲート駆動信号を放電させることを特徴とする請求項２記載の液晶表示装置。
【請求項４】
前記クロック発生部は、
第１区間のあいだ所定電圧を有する第１及び第２クロック信号を出力する電圧印加回路
と、
前記電圧印加回路がターンオフするとき、第１及び第２クロック信号を充放電する充放
電回路と、
を有することを特徴とする請求項１記載の液晶表示装置。
【請求項５】
前記クロック発生制御信号は、前記電圧印加回路をターンオンさせるための第３区間と
、前記充放電回路をターンオンさせるための第４区間と、前記電圧印加回路と前記充放電
回路をターンオフさせるための第５区間と、を有することを特徴とする請求項１記載の液
晶表示装置。
【請求項６】
前記クロック発生制御信号は、
前記第１及びタ第２クロックが反復的にハイ区間を有するように制御するゲートクロッ
ク信号ＣＰＶと、
前記ゲート駆動部から連続して出力されるゲート駆動信号が互いに異なる位相差を有す
るように制御するイネーブル信号ＯＥと、
前記第１及び第２クロック信号を充電または放電させる充電/放電制御信号ＣＨＣと、
を含むことを特徴とする請求項１記載の液晶表示装置。
【請求項７】
前記クロック発生部は、
前記第１タイミング信号の入力を受け、前記ＯＥ信号に同期し、第１端を通じて第１ク
ロックイネーブル信号ＯＣＳを出力し第２端を通じて第２クロックイネーブル信号ＥＣＳ
を出力するＤ−フリップ・フロップと、
前記ＣＰＶ信号、ＯＥ信号及びＯＣＳ信号に応答して前記第１区間の間一定電圧を保持
する前記第１クロックを出力する第１電圧印加回路と、
前記ＣＰＶ信号、ＯＥ信号及びＥＣＳ信号に応答して前記第１区間の間一定電圧を保持
する前記第２クロックを出力する第２電圧印加回路と、
前記ＣＰＶ信号と前記ＣＨＣ信号の入力を受け、前記第１及び第２電圧印加回路のター
ンオフの際、駆動され前記第１及び第２クロックを充放電させるための充放電回路と、を
含むことを特徴とする請求項６記載の液晶表示装置。
【請求項８】
前記第１電圧印加回路は、
前記ＯＣＳ信号のハイ区間に応答して前記第１クロックに第１電源電圧を出力するため
の第１電源電圧供給部と、
前記ＯＣＳ信号のロー区間に応じて前記第１クロックに第２電源電圧を出力するための
第２電源電圧供給部と、を含むことを特徴とする請求項７記載の液晶表示装置。
【請求項９】
前記第２電圧印加回路は、
前記ＥＣＳ信号のハイ区間に応じて前記第２クロックに第１電源電圧を出力するための
第１電源電圧供給部と、
前記ＥＣＳ信号のロー区間に応じて前記第２クロックに第２電源電圧を出力するための
第２電源電圧供給部と、を含むことを特徴とする請求項７記載の液晶表示装置。
【請求項１０】
前記充放電回路は、
前記第２クロックの放電の際、前記第１クロックを充電し、前記第１クロックの放電の
際前記第２クロックを充電するクロック充電部と、
前記第１及び第２クロック電圧回路のターンオフの際、前記ＣＰＶ信号とＣＨＣ信号に
応答して前記クロック充電部をオン/オフさせ、前記クロック充電部の動作時間を制御す
る充電制御部と、を含むことを特徴とする請求項７記載の液晶表示装置。
【請求項１１】
第１方向に延長された複数のゲートラインと、第２方向に延長された複数のデータライ
ンと、第１電極が前記ゲートラインに連結され第２電極が前記データラインに連結される
スイッチング素子と、前記スイッチング素子の第３電極に連結された画素電極とを有する
液晶パネルと、
前記ゲートラインの第１端部に連結され前記複数のゲートラインに順次にゲート駆動信
号を印加するためのゲート駆動部と、
前記データラインに連結され前記データラインにデータ駆動信号を印加するためのデー
タ駆動部と、
次のゲートラインに印加される第１ゲート駆動信号に応答して現在ゲートラインに印加
される第２ゲート駆動信号を放電させるための放電部と、
を含むことを特徴とする液晶表示装置。
【請求項１２】
前記放電部は、第１電極が前記現在ゲートラインに連結され、第２電極が放電電圧入力
端子に連結され、前記第１ゲート駆動信号によって駆動され前記第２ゲート駆動信号を前
記放電電圧に放電させるトランジスタからなることを特徴とする請求項１１記載の液晶表
示装置。
【請求項１３】
前記ゲート駆動部は、第１クロック、及び前記第１クロックと反対の位相を有する第２
クロックの提供を受け、
前記第１及び第２クロックは第１区間の間、前記ゲート駆動信号のレベルを決定し、第
２区間の間、前記第１及び第２クロックの充電または放電させることを特徴とする請求項
１０記載の液晶表示装置。
【請求項１４】
前記第１クロックは前記第１区間で第１電圧を保持し、前記第２区間で第１極性を有し
、
前記第２クロックは前記第１区間で前記第１電圧と位相の反転された第２電圧を保持し
、前記第２区間で前記第１極性と位相が反転された第２極性を有し、
第１クロック及び第２クロックは、傾きを有することを特徴とする請求項１３記載の液
晶表示装置。
【請求項１５】
第１方向に延長された複数のゲートラインと、前記第１方向と直交する第２方向に延長
された複数のデータラインと、第１電極が前記ゲートラインに連結され第２電極が前記デ
ータラインに連結されるスイッチング素子と、前記スイッチング素子の第３電極に連結さ
れた画素電極とを有する液晶パネルと、
前記ゲートラインの第１端部に連結され前記ゲートラインに順次にゲート駆動信号を印
加するための第１ゲート駆動部と、
前記第１ゲート駆動部の誤動作の際駆動され、前記ゲートラインの第２端部に連結され
前記ゲートラインに順次に前記ゲート駆動信号を印加するための第２ゲート駆動部と、
前記データラインに連結され前記データラインにデータ信号を印加するためのデータ駆
動部と、
前記第１ゲート駆動部の動作の際次のゲートラインに印加される第１ゲート駆動信号に
応答して現在のゲートラインに印加された第２ゲート駆動信号を放電させるための第１放
電部と、
前記第２ゲート駆動部の動作の際前記第２ゲート駆動信号によって駆動され前記第２ゲ
ート駆動信号を放電させるための第２放電部と、
を含むことを特徴とする液晶表示装置。
【請求項１６】
前記第１ゲート駆動部に連結された外部連結端子をさらに含み、前記外部連結端子は開
示信号が入力される第１入力端子と、第１クロックが入力される第２入力端子と、第１ク
ロックと反転された位相を有する第２クロックが入力される第３入力端子と、第１電源電
圧が入力される第４入力端子と、第２電源電圧が入力される第５入力端子と、で構成され
ることを特徴とする請求項１５記載の液晶表示装置。
【請求項１７】
前記第１及び第２クロックは、第１区間の間前記ゲート駆動信号のレベルを決定し、第
２区間の間前記第１及び第２クロックの充電または放電させることを特徴とする請求項１
６記載の液晶表示装置。
【請求項１８】
前記第２ゲート駆動部に連結された外部連結端子をさらに含み、前記外部連結端子は開
始信号が入力される第１入力端子と、第１クロックと第１電源電圧が選択的に印加される
第２入力端子と、第１クロックと反転の位相を有する第２クロックと第２電源電圧が選択
的に印加される第３入力端子と、第１電源電圧と第２電源電圧が選択的に印加される第４
入力端子と、第２電源電圧が入力される第５入力端子と、で構成されることを特徴とする
請求項１５記載液晶表示装置。
【請求項１９】
前記第１及び第２クロックは、前記ゲート駆動信号のレベルを決定する第１区間と、前
記第１及び第２クロックが充電または放電される第２区間と、で区分されることを特徴と
する請求項１８記載の液晶表示装置。
【請求項２０】
前記第１放電部は、第１電極が前記現在のゲートラインに連結され第２電極が放電電圧
入力端子に連結され、前記第１ゲート駆動信号によって駆動され前記第２ゲート駆動信号
を前記放電電圧に放電させる第１トランジスタからなることを特徴とする請求項１５記載
の液晶表示装置。
【請求項２１】
前記第２放電部は、第１電極が前記現在のゲートラインに連結され、第２電極が放電電
圧入力端子に連結され、前記第１ゲート駆動信号によって駆動され前記第２ゲート駆動信
号を前記放電電圧に放電させる第２トランジスタからなることを特徴とする請求項１５記
載の液晶表示装置。